(57)【要約】【課題】食器かごが収納された洗浄槽２と、洗浄槽の中央部で上方にのびるセンターノズル３２を有する洗浄ノズルとを備える食器洗浄機であって、食器かごとして、下かごと、センターノズルに隣接した部分に配置される、内側と外側の２列の食器支持部を備える上かご６とが設けられるものにおいて、内側の食器支持部６３の長手方向中央部の支持剛性を高めてその撓みを防止できるようにすると共に、上かごの一部の直下に位置する下かごの部分に比較的大きな食器を載置できるようにする。【解決手段】下かごに、内側の食器支持部６３の長手方向（Ｘ軸方向）中央部に存する座部６３１の部分に下方から当接する上かご支え部５２を立設する。また、内側の食器支持部６３の座部６３１を、上かご支え部５２が当接する部分よりもＸ軸方向一方に位置する部分６３１ａを上方に偏倚させた段付き形状に形成する。【選択図】図２
2019063334.tif 000002
【特許請求の範囲】
【請求項１】
食器類を支持する食器かごが収納された洗浄槽と、洗浄槽内に設けられた洗浄ノズルと、洗浄槽内の洗浄水を洗浄ノズルに供給する洗浄ポンプとを備える食器洗浄機であって、
洗浄ノズルは、洗浄槽の中央部で上方にのびるセンターノズルを有し、
食器かごとして、洗浄槽の下部に配置される下かごと、洗浄槽の上部であって、センターノズルに対し所定方向に隣接した部分に配置される上かごとが設けられ、
上かごは、センターノズルに近い内側とセンターノズルから離れた外側との２列の食器支持部を備え、これら各食器支持部は、コップや湯呑みに代表される有底の筒状食器を、開口端を下にしてセンターノズルから離れる方向に傾斜した姿勢で、各食器支持部の長手方向たるＸ軸方向に複数個並べて支持可能であって、筒状食器の開口端が着座する座部と、筒状食器の周壁部のセンターノズルとは反対側部分が当接する背もたれ部とを有するものにおいて、
下かごに、上かごの内側の食器支持部のＸ軸方向中央部に存する座部の部分に下方から当接する上かご支え部が立設され、
上かごの内側の食器支持部の座部は、上かご支え部が当接する部分のＸ軸方向一方に隣接する部分からＸ軸方向一方の端部までの範囲に存する座部の部分が当該食器支持部の他の部分に存する座部の部分に対しセンターノズルから離れる方向で且つ上方に偏倚した段付き形状に形成されることを特徴とする食器洗浄機。
【請求項２】
請求項１記載の食器洗浄機であって、前記下かごに、前記センターノズルを囲うノズルガード枠が立設されるものにおいて、前記上かご支え部がノズルガード枠で構成されることを特徴とする食器洗浄機。
【発明の詳細な説明】
【技術分野】
【０００１】
本発明は、食器類を支持する食器かごが収納された洗浄槽と、洗浄槽内に設けられた洗浄ノズルと、洗浄槽内の洗浄水を洗浄ノズルに供給する洗浄ポンプとを備える食器洗浄機に関する。
【背景技術】
【０００２】
従来、この種の食器洗浄機として、洗浄ノズルを、洗浄槽の中央部で上方にのびるセンターノズルを有するものとし、食器かごとして、洗浄槽の下部に配置される下かごと、洗浄槽の上部であって、センターノズルに対し所定方向に隣接した部分に配置される上かごとを設けたものが知られている（例えば、特許文献１参照）。このもので、上かごは、センターノズルに近い内側とセンターノズルから離れた外側との２列の食器支持部を備えている。各食器支持部は、コップや湯呑みに代表される有底の筒状食器を、開口端を下にしてセンターノズルから離れる方向に傾斜した姿勢で、各食器支持部の長手方向に複数個並べて支持可能であって、センターノズルに形成したノズル孔から噴射される洗浄水が食器支持部に支持される筒状食器内に入るようにしている。尚、各食器支持部は、筒状食器の開口端が着座する座部と、筒状食器の周壁部のセンターノズルとは反対側部分が当接する背もたれ部とを有している。
【０００３】
ところで、上記従来例のものでは、上かごのうち、内側の食器支持部の長手方向中央部が洗浄槽の内壁面から最も離れることになる。そのため、内側の食器支持部の長手方向中央部の支持剛性が不足して、この部分が下方に撓みやすくなる。また、上かごの直下に位置する下かごの部分に支持可能な食器の大きさが制限されてしまう不具合もある。
【先行技術文献】
【特許文献】
【０００４】
【特許文献１】特開２０１６−３０１６３号公報
【発明の概要】
【発明が解決しようとする課題】
【０００５】
本発明は、以上の点に鑑み、上かごの内側の食器支持部の長手方向中央部の支持剛性を高めてその撓みを防止できるようにすると共に、上かごの一部の直下に位置する下かごの部分に比較的大きな食器を載置できるようにした使い勝手の良好な食器洗浄機を提供することをその課題としている。
【課題を解決するための手段】
【０００６】
上記課題を解決するために、本発明は、食器類を支持する食器かごが収納された洗浄槽と、洗浄槽内に設けられた洗浄ノズルと、洗浄槽内の洗浄水を洗浄ノズルに供給する洗浄ポンプとを備える食器洗浄機であって、洗浄ノズルは、洗浄槽の中央部で上方にのびるセンターノズルを有し、食器かごとして、洗浄槽の下部に配置される下かごと、洗浄槽の上部であって、センターノズルに対し所定方向に隣接した部分に配置される上かごとが設けられ、上かごは、センターノズルに近い内側とセンターノズルから離れた外側との２列の食器支持部を備え、これら各食器支持部は、コップや湯呑みに代表される有底の筒状食器を、開口端を下にしてセンターノズルから離れる方向に傾斜した姿勢で、各食器支持部の長手方向たるＸ軸方向に複数個並べて支持可能であって、筒状食器の開口端が着座する座部と、筒状食器の周壁部のセンターノズルとは反対側部分が当接する背もたれ部とを有するものにおいて、下かごに、上かごの内側の食器支持部のＸ軸方向中央部に存する座部の部分に下方から当接する上かご支え部が立設され、上かごの内側の食器支持部の座部は、上かご支え部が当接する部分のＸ軸方向一方に隣接する部分からＸ軸方向一方の端部までの範囲に存する座部の部分が当該食器載置部の他の部分に存する座部の部分に対しセンターノズルから離れる方向で且つ上方に偏倚した段付き形状に形成されることを特徴とする。
【０００７】
本発明によれば、上かごの内側の食器支持部のＸ軸方向（長手方向）中央部を上かご支持部で下方から支えることにより、この部分の支持剛性を高めて、この部分が下方に撓むことを防止できる。また、内側の食器支持部の座部を段付き形状に形成することにより、上方に偏倚した座部の部分の下方に位置する下かごの部分に比較的大きな食器を載置することができ、使い勝手が向上する。
【０００８】
また、下かごには、一般的に、センターノズルを囲うノズルガード枠が立設されている。従って、本発明においては、上かご支え部をノズルガード枠で構成することが望ましい。これによれば、下かごにノズルガード枠とは別の上かご支え部を立設する必要がなく、上かご支え部によって食器支持スペースが狭められることを回避できる。
【図面の簡単な説明】
【０００９】
【図１】本発明の実施形態の食器洗浄機の切断側面図。
【図２】実施形態の食器洗浄機の洗浄槽の斜め上方から見た斜視図。
【図３】実施形態の食器洗浄機の洗浄槽の要部の平面図。
【図４】実施形態の食器洗浄機の上かごの斜視図。
【発明を実施するための形態】
【００１０】
図１に示す本発明の実施形態の食器洗浄機は、システムキッチンに組み込んで設置されるビルトイン式のものであり、前面が開放されたハウジング１内に前方に引出し自在に収納される洗浄槽２を備えている。洗浄槽２内には、食器類を支持する後述する食器かごが収納されると共に、食器かごに向けて洗浄水を噴射する洗浄ノズル３が設けられている。尚、洗浄槽２の前面には、ハウジング１の前面を閉塞する前蓋２１が取付けられている。また、ハウジング１内の上部には、洗浄槽２の開放された上面を閉塞するシール蓋１１が設けられている。
【００１１】
洗浄槽２の底部には、残菜フィルタ２２を介して洗浄槽２内に連通する洗浄水の溜り部２３が設けられている。洗浄槽２の底部下側には、溜り部２３に連通する洗浄ポンプ４が設置されている。そして、洗浄ポンプ４を正転させたとき、洗浄槽２内の洗浄水が溜り部２３と洗浄ポンプ４とを介して洗浄ノズル３に供給され、洗浄ポンプ４を逆転させたとき、洗浄水が洗浄槽２から排水されるようにしている。
【００１２】
洗浄ノズル３は、洗浄槽２の下部で水平方向にのび、長手方向中央部で鉛直軸線回りに旋回自在な下ノズル３１と、下ノズル３１の長手方向中央部に立設された、洗浄槽２の中央部で上方にのびるセンターノズル３２とを有している。下ノズル３１は、これに形成したノズル孔３１１から洗浄水を噴射し、この噴射反力により旋回する。センターノズル３２は、下ノズル３１に一体の下半部３２ａと、下半部３２ａに上下動自在に内挿した上半部３２ｂとで構成されている。洗浄ポンプ４から洗浄水が供給されると、上半部３２ｂが洗浄水の水圧に押されて上動し、センターノズル３２が上方に伸張する。そして、下半部３２ａの上端部に形成したノズル孔３２１と上半部３２ｂに形成したノズル孔３２２とから洗浄水が噴射される。
【００１３】
また、食器かごとして、洗浄槽２の下部に、下ノズル３１の上方に位置させて配置された、大皿、小皿、中鉢、椀等の比較的大型の食器Ｗ１を支持する下かご５と、洗浄槽２の上部であって、センターノズル３２に対し所定方向たる後方に隣接した部分に配置された上かご６とが設けられている。下かご５の中央部には、これに載置する食器Ｗ１がセンターノズル３２に干渉することを防止できるように、センターノズル３２を囲うノズルガード枠５１が立設されている。
【００１４】
図２乃至図４も参照して、上かご６は、洗浄槽２の内壁面上部に係合支持される、線材で構成される枠体６１と、枠体６１に固定される合成樹脂製のかご本体６２とで構成されている。かご本体６２は、センターノズル３２に近い内側（前側）とセンターノズル３２から離れた外側（後側）との２列の食器支持部６３，６４を備えている。各食器支持部６３，６４は、コップや湯飲みに代表される有底の筒状食器Ｗ２を、センターノズル３２のノズル孔３２１から噴射する洗浄水が内部に入るように、開口端を下にしてセンターノズル３２から離れる方向たる後方に傾斜した姿勢で、各食器支持部６３，６４の長手方向に複数個並べて支持可能である。そして、各食器支持部６３，６４は、筒状食器Ｗ２の開口端が着座する、複数の棒状体で構成される座部６３１，６４１と、筒状食器Ｗ２の周壁部のセンターノズル３２とは反対側（後側）部分が当接する、単数又は複数の棒状体で構成される背もたれ部６３２，６４２とを有している。尚、各食器支持部６３，６４は、平面視円弧状であって、その長手方向たるＸ軸方向は円弧状に湾曲している。
【００１５】
ここで、本実施形態では、下かご５に、上かご６の内側の食器支持部６３のＸ軸方向中央部に存する座部６３１の部分に下方から当接する上かご支え部５２を立設している。そのため、洗浄槽２の内壁面から最も離れて撓みやすい内側の食器支持部６３のＸ軸方向中央部の支持剛性を上かご支え部５２により高めて、この部分が下方に撓むことを防止できる。
【００１６】
また、本実施形態では、ノズルガード枠５１を上方に延長して、その上端に、図１、図２に示す如く内側の食器支持部６３のＸ軸方向中央部に存する座部６３１の部分に下方から当接する当接部５２ａを設け、上かご支え部５２がノズルガード枠５１で構成されるようにしている。これによれば、下かご５にノズルガード枠５１とは別の上かご支え部５２を立設する必要がなく、上かご支え部５２によって食器支持スペースが狭められることを回避できる。
【００１７】
更に、本実施形態では、内側の食器支持部６３の座部６３１を、上かご支え部５２が当接する部分のＸ軸方向一方（図３、図４の下方）に隣接する部分からＸ軸方向一方の端部までの範囲に存する座部の部分６３１ａが当該食器支持部６３の他の部分に存する座部の部分に対しセンターノズル３２から離れる方向たる後方で且つ上方に偏倚した段付き形状に形成している。そのため、上方に偏倚した座部部分６３１ａの下方に位置する下かご５の部分に比較的大きな食器Ｗ１を載置することができ、使い勝手が向上する。
【００１８】
尚、座部６３１を段付き形状に形成すると、座部６３１の段差部６３１ｂで応力集中を生じて強度上の問題を生ずる恐れがある。然し、本実施形態では、座部６３１が段差部６３１ｂの近傍で上かご支え部５２により支えられるため、強度上の問題を生ずることはない。
【００１９】
以上、本発明の実施形態について図面を参照して説明したが、本発明はこれに限定されない。例えば、上記実施形態では、上かご６がセンターノズル３２に対し後方に隣接した部分に配置されているが、上かごをセンターノズル３２に対し前方や、横方向に隣接する部分に配置させるものにも同様に本発明を適用できる。
【符号の説明】
【００２０】
２…洗浄槽、３…洗浄ノズル、３２…センターノズル、４…洗浄ポンプ、５…下かご、５１…ノズルガード枠、５２…上かご支え部、６…上かご、６３…内側の食器支持部、６３１…座部、６３１ａ…上方に偏倚した座部の部分、６３２…背もたれ部、６４…外側の食器支持部、６４１…座部、６４２…背もたれ部。
【図１】
2019063334.tif 000003
【図２】
2019063334.tif 000004
【図３】
2019063334.tif 000005
【図４】
2019063334.tif 000006